(57)【要約】      （修正有）【課題】ロールスクリーンは今まで分煙用仕切り板の固定や設置に使用されていた遊技機と隣接遊技機の間の台間スペースを使用せず、遊技機島上部もしくは天井部にスクリーンハウジングを設置しロールスクリーンを吊り下げて構成する分煙用ロールスクリーンを提供する。【解決手段】遊技機用の島７を構成する遊技機８と隣接遊技機９の台間上部に固定金具２に支持されたロールスクリーンハウジング１を設けロールスクリーンハウジング１よりロールスクリーン３吊り下げスクリーンエンドに設けた下部固定用紐６を遊技島下部皿板に設けたスクリーンの下部固定用紐固定金物６によりスクリーンを安定させる。【選択図】図１
0003183288.tif 000002
【実用新案登録請求の範囲】
【請求項１】
遊技機設置島に設置された隣接する遊技機の間に遊技機設置島上部もしくは室内天井部に設けたスクリーンハウジングより吊り下げられたスクリーンによって隣接する遊技者に分煙効果を齎す遊技機間の設置スペースを必要としない事を特徴とする分煙用ロールスクリーン。
【請求項２】
請求項１のロールスクリーンのスクリーンハウジングを左右倒せることを特徴とするロールスクリーン。
【請求項３】
スクリーンもしくは仕切り板を直接天井もしくは吊り下げ用金物を使用して吊り下げる事を特徴とした分煙用仕切り。
【請求項４】
分煙用のスクリーン表面に光触媒を塗布する事により消臭効果、抗菌効果を齎す事を特徴とするロールスクリーン。
【考案の詳細な説明】
【技術分野】
【０００１】本考案は、遊技場等の分煙用ロールスクリーンに関する。
【背景技術】
【０００２】従来、遊技場の遊技機と隣接遊技機間の分煙に使用される仕切り板等を設ける場合は遊技機と隣接する遊技機の間に設置する為に設置用のスペースを必要としていた。
【先行技術文献】
【０００３】
【特許文献１】実登３１３６４３２号公報
【特許文献２】実登３１２３２４３号公報
【考案の概要】
【考案が解決しようとする課題】
【０００４】特許文献１，２，にあるとように、遮断面積の確保による隣接遊技者からの副流煙の流入や隣接遊技機の遊技者による干渉、タバコの悪臭、騒音の遮断を目的とした仕切り板は知られていたが、取り付けスペースに関しての検討はされて無く島の構造や遊技機と隣接する遊技機のスペースが無い場合は分煙用の仕切り板が設置出来ない事も多く見受けられた。【０００５】特許文献１，２にある分煙用の島固定の仕切り板が設置したくても遊技機と隣接する遊技機の間に分煙用仕切り板を設置するスペースが無い為に設置出来ない場合が多く見受けられた。
【課題を解決しようとする手段】
【０００６】本考案によるロールスクリーンは今まで分煙用仕切り板の固定や設置に使用されていた遊技機と隣接遊技機の間の台間スペースを使用せず、遊技機島上部もしくは天井部にスクリーンハウジングを設置しロールスクリーンを吊り下げる。
【考案の効果】
【０００７】天井もしくは島上部より吊り下げられたロールスクリーンを分煙の仕切りとして使用するので台間スペースに設置スペースが無い場合でも容易に分煙用仕切りスクリーンを設置することが可能になる。
【０００８】本考案に関わる請求項２のスクリーンハウジングを左右に倒す事により遊技機の入れ替え作業や清掃時の破損等の従来作業をし易くさせる。
【０００９】本考案に関わる請求項３のスクリーンを直接天井部や島上部より吊り下げる事によりスクリーンハウジングや金物等のコストを抑えることが可能になる。
【００１０】本考案に関わる請求項４の分煙用ロールスクリーンの消臭方法では、光触媒をスクリーン表面に付着させて使用して消臭を行なうことを特徴としている。光触媒としては低照度や暗所でも触媒効果を発揮する金属微粒子を担持させた酸化チタンや特殊表面修飾酸化チタン等の可視光応答型光触媒が好ましい。なぜならば店舗内部や遊技機に使用されているＬＥＤ照明やスクリーンを使用しない時光源の無いスクリーンハウジングに巻き取られる為可視光応答型の光触媒を使用しないと十分な効果が期待出来ない。
【００１１】本考案のロールスクリーンの消臭方法によれば、喫煙臭だけでなく、尿臭、糞臭等の成分であるアンモニア、硫化水素、トリチルアミン等の嫌な臭いの消臭にも効果を発揮する。
【００１２】請求項４の汚物の分解もぬれた雑巾等で軽く拭くだけで光触媒の特徴である超親水の効果により洗剤等を使用せずにも簡単に清掃する事が出来るので、ポリカーボネートや塩化ビニール等の傷や白濁し易い素材も傷めずに清掃する事が可能になる。
【００１３】従来、清掃が困難な天井部に近い高所部分も拭くだけで簡単に済むので清掃に掛かるコストの削減にも繋がる。
【００１４】請求項４にある抗菌効果によりＯ−１５７，大腸菌、ブドウ球菌、インフルエンザウイルス等も不活性化される。
【００１５】この効果は光触媒を使用しているので付着させた光触媒膜が剥離するか光を遮断されない限り半永久的に光触媒の分解による消臭、汚物の分解、菌やウイルスの分解を行い続ける。
【考案を実施する為の最良の形態】
【００１６】以下、本考案に係る分煙用ロールスクリーンの設置方法を、図面を参照しながら最良の一形態を説明する。
【実施例１】
【００１７】図１は、本考案に係る遊技機用の島７を構成する遊技機８と隣接遊技機９の台間上部に固定金具２に支持されたロールスクリーンハウジング１を設けロールスクリーンハウジング１よりロールスクリーン３吊り下げスクリーンエンドに設けた下部固定用紐６を遊技島下部皿板１２に設けたスクリーンの下部固定用紐固定金物６によりスクリーンを安定させた図を示している。
【実施例２】
【００１８】図２は、本考案に係る遊技機島８の上部に設けられた固定金物２に設けられたヒンジによりロールスクリーンハウジング１を遊技機側に横にした図を示している。
【実施例３】
【００１９】図３は本考案に係るロールスクリーンハウジング１を固定金具２によって遊技機上部天井１２に設けより光触媒下地保護剤Ｂを塗布乾燥させた後光触媒Ａを塗布したロールスクリーンハウジング１に吊り下げられたロールスクリーン３によって遊技機８と隣接する遊技機９の分煙を行なった図を示している。
【図面の簡単な説明】
【００２０】
【図１】本考案の遊技機島上部にロールスクリーン設置後の断面図である。
【図２】本考案のロールスクリーンハウジングを倒したときの正面図である。
【図３】本考案の天井部にスクリーンを取り付け後光触媒を塗布した場合の断面図である。
【符号の説明】
【００２１】１．ロールスクリーンハウジング
２．固定金物
３．ロールスクリーン
４．スクリーンエンド
５．下部固定用紐
６．下部固定用紐固定金具
７．遊技機島
８．遊技機
９．隣接遊技機
１０．遊技機島上部幕板
１１．遊技機島下部皿板
１２．遊技機上部天井
Ａ．光触媒
Ｂ．下地保護剤
【図１】
0003183288.tif 000003
【図２】
0003183288.tif 000004
【図３】
0003183288.tif 000005
【手続補正書】
【提出日】平成25年1月31日(2013.1.31)
【手続補正１】
【補正対象書類名】実用新案登録請求の範囲
【補正対象項目名】全文
【補正方法】変更
【補正の内容】
【実用新案登録請求の範囲】
【請求項１】
遊技機設置島に設置された隣接する遊技機の間に遊技機設置島上部もしくは室内天井部に設けたスクリーンハウジングより吊り下げられたスクリーンによって隣接する遊技者に分煙効果を齎す遊技機間の設置スペースを必要としない事を特徴とする分煙用ロールスクリーン。
【請求項２】
請求項１の分煙用ロールスクリーンのスクリーンハウジングの取り付け金物に左右に可動する機能を付けることにより清掃等の作業時にスクリーンハウジングを左右に倒す事により上部空間を確保する事を特徴とする請求項１記載の分煙用ロールスクリーン。
【請求項３】
請求項１の分煙用ロールスクリーンを直接天井部や吊り下げ用金物を使用して吊り下げる事を特徴とする請求項１記載の分煙用ロールスクリーン。
【請求項４】
請求項１記載の分煙用ロールスクリーンのスクリーン表面に光触媒を塗布する事により消臭効果や抗菌効果を齎す事を特徴とした請求項１記載の分煙用ロールスクリーン。